(57)【要約】【課題】本発明は、内フラップに糊付けされた外フラップを容易に引き剥がすことができる箱体を形成できる箱用シートを提供することを課題とする。【解決手段】本発明の箱用シートは、組み立て状態で外フラップの先端縁の下方に配置される領域に、短辺側面パネル及び内フラップに跨がって形成され、箱体の内側に押し込み可能な開封開始部を有し、上記開封開始部が、上記短辺側面パネル及び上記内フラップに跨がって形成される一対の開始部切断線と、上記内フラップに、この内フラップの基端縁に平行に上記一対の開始部切断線の端部間を接続するよう形成さる第１開始部折り曲げ線と、上記短辺側面パネルに、この短辺側面パネルの上縁に平行に上記一対の開始部切断線の端部間を接続するよう形成される第２開始部折り曲げ線とによって画定されることを特徴とする。【選択図】図１
2018127242.tif 000002
【特許請求の範囲】
【請求項１】
一枚のシートから形成され、箱体を形成するよう組み立て可能であり、
組み立て状態で四角筒状に接続される一対の長辺側面パネル及び一対の短辺側面パネルと、
上記長辺側面パネルの上縁から延出し、組み立て状態で先端縁同士が突き合わされる一対の外フラップと、
上記短辺側面パネルの上縁から延出し、組み立て状態で上記外フラップの内側に重ねられる一対の内フラップと
を備える箱用シートであって、
組み立て状態で上記外フラップの先端縁の下方に配置される領域に、上記短辺側面パネル及び上記内フラップに跨がって形成され、箱体の内側に押し込み可能な開封開始部を有し、
上記開封開始部が、
上記短辺側面パネル及び上記内フラップに跨がって形成される一対の開始部切断線と、
上記内フラップに、この内フラップの基端縁に平行に上記一対の開始部切断線の端部間を接続するよう形成さる第１開始部折り曲げ線と、
上記短辺側面パネルに、この短辺側面パネルの上縁に平行に上記一対の開始部切断線の端部間を接続するよう形成される第２開始部折り曲げ線と
によって画定されることを特徴とする箱用シート。
【請求項２】
上記開封開始部が、上記短辺側面パネルの上縁と上記第２開始部折り曲げ線との間に上記第２開始部折り曲げ線と平行な第３開始部折り曲げ線をさらに有する請求項１に記載の箱用シート。
【請求項３】
上記第３開始部折り曲げ線が上記シートの裏面側だけを切断したハーフカット線である請求項２に記載の箱用シート。
【請求項４】
上記外フラップが、先端縁の上記開封開始部側端部近傍から開封開始部側の側縁の先端近傍にかけて形成されるつまみ部折り曲げ線を有する請求項１、請求項２又は請求項３に記載の箱用シート。
【請求項５】
上記外フラップが、上記開封開始部側の側縁の基端近傍から先端縁の中央よりも上記開封開始部から遠い位置にかけて形成される開封折り曲げ線を有する請求項１から請求項４のいずれか１項に記載の箱用シート。
【発明の詳細な説明】
【技術分野】
【０００１】
本発明は、箱用シートに関する。
【背景技術】
【０００２】
例えば段ボール等の紙製シートから形成される様々な箱体が、各種の商品を収容する包装容器として広く利用されている。
【０００３】
このような箱体の中でも、一対の短辺側壁及び一対の長辺側壁を交互に連接したシートを折り曲げて四角筒状に接続し、短辺側壁の上下端縁からそれぞれ延出する内フラップを四角筒状部の内側に向かってそれぞれ折り曲げ、長辺側壁の上下端縁からそれぞれ延出する外フラップを内フラップの外側に折り重ねることで四角筒状部の上下開口を封止するＡ式（いわゆるみかん箱タイプ）の箱体が特に広範に使用されている。
【０００４】
Ａ式の箱体は、外フラップの合わせ目に沿って粘着テープを貼着することや、内フラップと外フラップとを糊で貼り合わせることによって封函状態を保持する。一般的なＡ式の箱体の内フラップと外フラップとを糊で貼り合わせて封函したものを開函する場合、内フラップと外フラップとの間に手の爪をかけて外フラップを内フラップから引き剥がす必要があり、開函作業が容易ではない。
【０００５】
そこで、特開２００８−１０５６９０号公報には、外フラップを内フラップに貼り合わせる箱体の開函を容易にするために、外フラップの組み立て時に内フラップと重ならない領域に、先端縁から延びる一対の切り込みとこの一対の切り込みの先端間を接続する折目とで形成され、箱体の内側に押し込むことができる押し曲げ部を形成することが提案されている。この構成によれば、押し曲げ部を箱体の内側に押し込むことで形成される開口に手を差し込んで、対向する外フラップの先端部を把持して内フラップから引き剥がすことができる。
【０００６】
しかしながら、上記公報に記載の構成では、箱体の天面に押し曲げ部を形成しているため、例えば輸送時のように封函状態を維持したまま取り扱うべきときに、意図せず外力が作用して押し曲げ部が押し込まれてしまうおそれがある。このような意図しない押し曲げ部の押し込みにより箱体に開口が形成されると、異物の混入等のリスクが増大する。
【０００７】
さらに、上記公報に記載の構成では、組み立て状態で一対の内フラップの間に位置する外フラップの先端部に押し曲げ部を形成する必要がある。このため、対向する外フラップの先端縁の中央部を把持し、外フラップを一対の内フラップから同時に引き剥がすことになるので、この作業にはかなり大きな力が必要とされる。
【先行技術文献】
【特許文献】
【０００８】
【特許文献１】特開２００８−１０５６９０号公報
【発明の概要】
【発明が解決しようとする課題】
【０００９】
上記実情に鑑みて、本発明は、内フラップに糊付けされた外フラップを容易に引き剥がすことができる箱体を形成できる箱用シートを提供することを課題とする。
【課題を解決するための手段】
【００１０】
上記課題を解決するためになされた本発明に係る箱用シートは、一枚のシートから形成され、箱体を形成するよう組み立て可能であり、組み立て状態で四角筒状に接続される一対の長辺側面パネル及び一対の短辺側面パネルと、上記長辺側面パネルの上縁から延出し、組み立て状態で先端縁同士が突き合わされる一対の外フラップと、上記短辺側面パネルの上縁から延出し、組み立て状態で上記外フラップの内側に重ねられる一対の内フラップとを備える箱用シートであって、組み立て状態で上記外フラップの先端縁の下方に配置される領域に、上記短辺側面パネル及び上記内フラップに跨がって形成され、箱体の内側に押し込み可能な開封開始部を有し、上記開封開始部が、上記短辺側面パネル及び上記内フラップに跨がって形成される一対の開始部切断線と、上記内フラップに、この内フラップの基端縁に平行に上記一対の開始部切断線の端部間を接続するよう形成さる第１開始部折り曲げ線と、上記短辺側面パネルに、この短辺側面パネルの上縁に平行に上記一対の開始部切断線の端部間を接続するよう形成される第２開始部折り曲げ線とによって画定されることを特徴とする。
【００１１】
当該箱用シートを組み立ててなる箱体は、外フラップの先端縁の合わせ目の端部の下方に、上記一対の開始部切断線、上記第１開始部折り曲げ線及び上記第２開始部折り曲げ線によって画定され、箱体の内側に押し込み可能な開封開始部を有するため、この開封開始部を押し込むことで形成される凹部に指を差し込んで外フラップの側縁先端角部を把持することができる。これにより、外フラップの側縁先端角部を容易に引き上げることができ、かつ外フラップの内フラップからの剥離を外フラップ側縁先端角部側から順次進行させられるので、外フラップを比較的小さい力で内フラップから剥離させることができる。このように、当該箱用シートは、内フラップに糊付けされた外フラップを容易に引き剥がすことができる箱体を形成できる。
【００１２】
当該箱用シートにおいて、上記開封開始部が、上記短辺側面パネルの上縁と上記第２開始部折り曲げ線との間に上記第２開始部折り曲げ線と平行な第３開始部折り曲げ線をさらに有することが好ましい。この構成によれば、上記第３開始部折り曲げ線を谷折りするよう開封開始部を押し込むことができるので、開封開始部の押し込みがより容易となると共に、外フラップの側縁先端角部を把持するために指を差し込むことができる空間をより確実に形成できる。
【００１３】
当該箱用シートにおいて、上記第３開始部折り曲げ線が上記シートの裏面側だけを切断したハーフカット線であることが好ましい。この構成によれば、上記第３開始部折り曲げ線に沿ってシートをより確実に谷折りすることができるので、開封開始部の押し込みがさらに容易となると共に、外フラップの側縁先端角部を把持するために指を差し込むことができる空間をさらに確実に形成できる。また、シートを谷折りする第３開始部折り曲げ線を上記ハーフカット線とすることによって、例えばシートを山折りする上記第１開始部折り曲げ線及び第２開始部折り曲げ線をシートの裏面に筋押しして形成する罫線とする場合に、第３開始部折り曲げ線と第１開始部折り曲げ線及び第２開始部折り曲げ線とを同時に形成することができる。
【００１４】
当該箱用シートにおいて、上記外フラップが、先端縁の上記開封開始部側端部近傍から開封開始部側の側縁の先端近傍にかけて形成されるつまみ部折り曲げ線を有することが好ましい。この構成によれば、上記つまみ部折り曲げ線によって、開封開始部により形成される凹部に指を差し込んで把持する外フラップの側縁先端角部を頂点とする小さい三角形状のつまみ部が画定される。このため、先ずこのつまみ部を箱体の外側に引き起こし、このつまみ部を改めてしっかりと把持することでより容易に外フラップを内フラップから引き剥がすことができる。
【００１５】
当該箱用シートにおいて、上記外フラップが、上記開封開始部側の側縁の基端近傍から先端縁の中央よりも上記開封開始部から遠い位置にかけて形成される開封折り曲げ線を有することが好ましい。この構成によれば、上記開封開始部により形成される凹部に指を差し込んで外フラップの側縁先端角部を引張り上げることで、上記開封折り曲げ線に沿って外フラップを折り曲げ、外フラップを開封開始部側の内フラップからのみ引き剥がすことができる。これにより、外フラップを開封開始部側の内フラップから引き剥がすことがさらに容易となると共に、開封折り曲げ線の内フラップと重複しない部分に手を掛けることを可能にする開口が形成されるので、外フラップを開封開始部と反対側の内フラップから引き剥がすことも容易となる。
【００１６】
なお、「近傍」とは、基準となる位置からの距離が短辺側面パネルの平均幅の０．３倍以下である領域を意味するものとする。
【発明の効果】
【００１７】
以上のように、本発明の箱用シートは、内フラップに糊付けされた外フラップを容易に引き剥がすことができる箱体を形成できる。
【図面の簡単な説明】
【００１８】
【図１】本発明の一実施形態の箱用シートを示す模式的平面図（展開図）である。
【図２】図１の箱用シートを組み立ててなる箱体の封函状態を示す模式的斜視図である。
【図３】図２の箱体の開函の最初の工程を示す模式的斜視図である。
【図４】図２の箱体の開函の図３の次の工程を示す模式的斜視図である。
【図５】図２の箱体の開函の図４の次の工程を示す模式的斜視図である。
【発明を実施するための形態】
【００１９】
以下、適宜図面を参照しつつ、本発明の実施の形態を詳説する。
【００２０】
［箱用シート］
図１に本発明の一実施形態に係る箱用シートを示す。当該箱用シートは、一枚のシートから形成され、図２に示す箱体を形成するよう組み立てることができる。なお、図１において、太い実線はシートを切断したエッジを示し、細い実線はシートの裏面側に筋押しして形成される罫線を示し、細い二点鎖線はシートの裏面側だけを切断したハーフカット線を示す。
【００２１】
当該箱用シートを形成するシートとしては、例えば段ボールシート、プラスチックボード、ボール紙等を用いることができ、中でも段ボールシートが好適に用いられる。
【００２２】
上記段ボールシートとしては、一枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２３】
当該箱用シートは、組み立て状態で四角筒状に接続される一対の長辺側面パネル（第１長辺側面パネル１及び第２長辺側面パネル２）と、一対の短辺側面パネル（第１短辺側面パネル３及び第２短辺側面パネル４）とを有する。より詳しくは、第１長辺側面パネル１、第１短辺側面パネル３、第２長辺側面パネル２及び第２短辺側面パネル４がこの順に左右方向に連接され、第１長辺側面パネル１の第１短辺側面パネル３と反対側には、第２短辺側面パネル４の第２長辺側面パネル２と反対側の側縁近傍に貼着される糊しろ５が連接されている。
【００２４】
また、当該箱用シートは、第１長辺側面パネル１及び第２長辺側面パネル２の上縁から延出し、組み立て状態で先端縁同士が突き合わされる一対の蓋外フラップ（第１蓋外フラップ６及び第２蓋外フラップ７）と、第１短辺側面パネル３及び第２短辺側面パネル４の上縁から延出し、組み立て状態で蓋外フラップ６，７の内側に重ねられる一対の蓋内フラップ（第１蓋内フラップ８及び第２蓋内フラップ９）とを備える。
【００２５】
さらに、当該箱用シートは、第１長辺側面パネル１及び第２長辺側面パネル２の下縁から延出し、組み立て状態で先端縁同士が突き合わされる一対の底外フラップ（第１底外フラップ１０及び第２底外フラップ１１）と、第１短辺側面パネル３及び第２短辺側面パネル４の下縁から延出し、組み立て状態で底外フラップ１０，１の内側に重ねられる一対の底内フラップ（第１底内フラップ１２及び第２底内フラップ１３）とを備える。
【００２６】
当該箱用シートは、第１長辺側面パネル１及び第１短辺側面パネル３間、並びに第２長辺側面パネル２及び第２短辺側面パネル４間でそれぞれ折り返され、糊しろ５が第２短辺側面パネル４の第２長辺側面パネル２と反対側の側縁近傍領域の裏面に貼着されることによって、一対の長辺側面パネル１，２及び一対の短辺側面パネル３，４が無端筒状に接続される。糊しろ５の第２短辺側面パネル４への貼着は、接着剤を用いる方法の他、例えばステープラー等を用いる方法としてもよい。
【００２７】
なお、本明細書において、「上」及び「下」とは、想定される一般的な使用態様における上下を意味し、「左右方向」とは、当該箱用シートを組み立ててなる箱体の想定される一般的な使用態様における水平方向に対応する方向を意味するが、当該箱用シートの製造時の向きや当該箱用シートを組み立ててなる箱体の使用時の向き制限することは企図しない。
【００２８】
当該箱用シートが段ボールシートから形成される場合、当該箱用シートを組み立ててなる箱体を上下に積み上げる可能性を考慮して、箱体の座屈強度を向上するために、中芯の稜線が上下方向、つまり側面パネル１，２，３，４の連接方向に垂直な方向に配向されることが好ましい。
【００２９】
当該箱用シートは、通常、糊しろ５を第２短辺側面パネル４に貼着し、第１長辺側面パネル１及び第２短辺側面パネル４が第１短辺側面パネル３及び第２長辺側面パネル２に密着する折り畳み状態でユーザーに提供される。このように当該箱用シートを折り畳み状態とすることで、複数の当該箱用シートを積み重ねて効率よく輸送及び保管することができ、かつ予め糊しろ５が第２短辺側面パネル４に貼着されていることで当該段ボール箱用シート容易に組み立てることができる。
【００３０】
当該箱用シートを組み立ててなる箱体は、蓋内フラップ８，９と蓋外フラップ６，７とを、図２に示すように、接着剤Ｇによって接着することで封函される。
【００３１】
また、当該箱用シートは、組み立て状態で蓋外フラップ６，７の先端縁の下方に配置される領域に、第１短辺側面パネル３及び第１蓋内フラップ８に跨がって形成され、箱体の内側に押し込み可能な開封開始部１４を有する。つまり、開封開始部１４は、当該箱用シートを組み立ててなる箱体の封函状態で山折り（外側に凸状に折り曲げ）された状態となっている帯状の領域を内側に凹ませることができるよう構成されている。
【００３２】
当該箱用シートが開封開始部１４を有することによって、当該箱用シートを組み立ててなる箱体は、図３に示すように、開封開始部１４を押し込むことで形成される凹部に指を差し込んで蓋外フラップ６，７の側縁先端角部を把持することができる。これにより、蓋外フラップ６，７の側縁先端角部を容易に引き上げることができ、かつ蓋外フラップ６，７の第１蓋内フラップ８からの剥離が蓋外フラップ６，７の側縁先端角部側から順次進行するので、蓋外フラップ６，７を比較的小さい力で第１蓋内フラップ８から剥離させることができる。
【００３３】
＜開封開始部＞
開封開始部１４は、第１短辺側面パネル３及び第１蓋内フラップ８に跨がって形成される一対の開始部切断線（第１開始部切断線１５及び第２開始部切断線１６）と、第１蓋内フラップ８に、この第１蓋内フラップ８の基端縁に平行に、一対の開始部切断線１５，１６の端部間を接続するよう形成される第１開始部折り曲げ線１７と、第１短辺側面３パネルに、この第１短辺側面パネル３の上縁に平行に、一対の開始部切断線１５，１６の端部間を接続するよう形成される第２開始部折り曲げ線１８とによって画定される。
【００３４】
また、開封開始部１４は、第１短辺側面パネル３の上縁と第２開始部折り曲げ線１８との間に第２開始部折り曲げ線１８と平行な第３開始部折り曲げ線１９をさらに有する。
【００３５】
（開始部切断線）
開始部切断線１５，１６は、それぞれ第１短辺側面パネル３の上縁と交差する点を頂点として、左右方向外側に凸状に屈曲又は湾曲するよう左右対称に形成されている。このように、開始部切断線１５，１６が外側に凸状であることによって、開封開始部１４の箱体内側への押し込みが容易となり、且つ、開封開始部１４の押し込みにより形成される凹部に指を差し込みやすくすることができる。
【００３６】
開始部切断線１５，１６の上下方向の長さの下限としては、４ｃｍが好ましく、５ｃｍがより好ましい。一方、開始部切断線１５，１６の上下方向の長さの上限としては、１０ｃｍが好ましく、８ｃｍがより好ましい。開始部切断線１５，１６の上下方向の長さが上記下限に満たない場合、開封開始部１４の押し込みにより形成される凹部に指を差し込むことが容易でなくなるおそれがある。逆に、開始部切断線１５，１６の上下方向の長さが上記上限を超える場合、当該箱用シートを組み立ててなる箱体の強度が不必要に低下するおそれがある。
【００３７】
開始部切断線１５，１６の最大間隔の下限としては、３ｃｍが好ましく、４ｃｍがより好ましい。一方、開始部切断線１５，１６の最大間隔の上限としては、８ｃｍが好ましく、６ｃｍがより好ましい。開始部切断線１５，１６の最大間隔が上記下限に満たない場合、蓋外フラップ６，７の側縁先端角部を把持することが容易でなくなるおそれがある。逆に、開始部切断線１５，１６の最大間隔が上記上限を超える場合、当該箱用シートを組み立ててなる箱体の強度が不必要に低下するおそれがある。
【００３８】
（第１開始部折り曲げ線及び第２開始部折り曲げ線）
第１開始部折り曲げ線１７及び第２開始部折り曲げ線１８は、それに沿ってシートを折り曲げやすくしたものであればよいが、シートの裏面に筋押しして形成される罫線とすることが、形成が容易でシートの強度低下が比較的小さい点で好ましい。
【００３９】
第１開始部折り曲げ線１７と第２開始部折り曲げ線１８とは、当該箱用シートを組み立ててなる箱体の強度低下を抑制し、開封開始部１４の押し込みにより形成される凹部を大きくするために、互いに等しい長さに形成されることが好ましい。
【００４０】
第１開始部折り曲げ線１７及び第２開始部折り曲げ線１８の長さの下限としては、１ｃｍが好ましく、２ｃｍがより好ましい。一方、第１開始部折り曲げ線１７及び第２開始部折り曲げ線１８の長さの上限としては、５ｃｍが好ましく、４ｃｍがより好ましい。第１開始部折り曲げ線１７及び第２開始部折り曲げ線１８の長さが上記下限に満たない場合、開封開始部１４の押し込みにより形成される凹部に指を挿入しにくくなるおそれがある。逆に、第１開始部折り曲げ線１７及び第２開始部折り曲げ線１８の長さが上記上限を超える場合、当該箱用シートを組み立ててなる箱体の強度が不必要に低下するおそれがある。
【００４１】
第１開始部折り曲げ線１７と第１短辺側面パネル３の上縁との間隔に対する第２開始部折り曲げ線１８と第１短辺側面パネル３の上縁との間隔の比の下限としては、１．２が好ましく、１．５がより好ましい。一方、上記比の上限としては、３．０が好ましく、２．５がより好ましい。上記比が上記下限に満たない場合、当該箱用シートを組み立ててなる箱体の内側に押し込むことが容易でなくなるおそれがある。逆に、上記比が上記上限を超える場合、開封開始部１４によって露出させられる蓋外フラップ６，７の裏面の面積に比して開封開始部１４が大きくなることで、蓋外フラップ６，７の側縁先端角部の把持を十分に容易化できないおそれや、当該箱用シートを組み立ててなる箱体の強度が不必要に低下するおそれがある。
【００４２】
第１開始部折り曲げ線１７と第１短辺側面パネル３の上縁との間隔の下限としては、１．５ｃｍが好ましく、１．８ｃｍがより好ましい。一方、第１開始部折り曲げ線１７と第１短辺側面パネル３の上縁との間隔の上限としては、４．０ｃｍが好ましく、３．０ｃｍがより好ましい。第１開始部折り曲げ線１７と第１短辺側面パネル３の上縁との間隔が上記下限に満たない場合、開封開始部１４によって露出させられる蓋外フラップ６，７の裏面の面積が不十分となることで蓋外フラップ６，７の側縁先端角部の把持を十分に容易化できないおそれがある。逆に、第１開始部折り曲げ線１７と第１短辺側面パネル３の上縁との間隔が上記上限を超える場合、開封開始部１４全体が大きくなることで当該箱用シートを組み立ててなる箱体の強度が不必要に低下するおそれがある。
【００４３】
（第３開始部折り曲げ線）
第３開始部折り曲げ線１９は、それに沿ってシートを谷折りしやすくしたものであればよいが、シートの裏面側だけを切断して形成されるハーフカット線とすることが、開始部切断線１５，１６、第１開始部折り曲げ線１７及び第２開始部折り曲げ線１８と一括してシートの裏面側から加工することができる点、並びに当該箱用シートを組み立ててなる箱体の美観を損なわない点で好ましい。
【００４４】
第３開始部折り曲げ線１９と第２開始部折り曲げ線１８との間隔は、第１開始部折り曲げ線１７と第１短辺側面パネル３の上縁との間隔と等しいことが好ましい。これによって、開封開始部１４を押し込んで第１開始部折り曲げ線１７と第３開始部折り曲げ線１９との間のシートを平面状に伸ばすと、この領域のシートが第１短辺側面パネル３と平行になり、かつ第３開始部折り曲げ線１９と第２開始部折り曲げ線１８との間のシートが蓋外フラップ６，７と平行になる。このため、開封開始部１４の押し込みにより形成される凹部に指を挿入して蓋外フラップ６，７の側縁先端角部を把持することが容易となる。
【００４５】
＜蓋外フラップ＞
当該箱用シートにおいて、蓋外フラップ６，７は、先端縁の開封開始部１４側端部近傍から開封開始部１４側の側縁の先端近傍にかけて形成されるつまみ部折り曲げ線２０，２１と、開封開始部１４側の側縁の基端近傍から先端縁の中央よりも開封開始部１４から遠い位置にかけて形成される開封折り曲げ線２２，２３とを有する。
【００４６】
当該箱用シートを組み立ててなる箱体は、蓋外フラップ６，７のつまみ部折り曲げ線２０，２１と開封折り曲げ線２２，２３との間の領域において、接着剤Ｇで蓋内フラップ８に接着されることで封函されることが企図される。
【００４７】
（つまみ部折り曲げ線）
つまみ部折り曲げ線２０，２１は、図４に示すように、蓋外フラップ６，７の開封開始部１４側の側縁先端角部を頂点とし、当該箱用シートを組み立ててなる箱体の外側に跳ね挙げることが可能な比較的小さい三角形状のつまみ部を画定する。
【００４８】
つまみ部折り曲げ線２０，２１は、それに沿ってシートを谷折りしやすくしたものであればよいが、シートをミシン目状に一列に並んだ複数の切断線と、この複数の切断線の間を接続するようシートの裏面に筋押しして形成される罫線とを有するいわゆるリード罫線であることが好ましい。このように、つまみ部折り曲げ線２０，２１をリード罫線とすることによって、つまみ部を跳ね上げることがより容易となる。
【００４９】
当該箱用シートを組み立ててなる箱体は、開封開始部１４を押し込んで形成される凹部に指を入れて蓋外フラップ６，７の側縁先端角部を把持してつまみ部折り曲げ線２０，２１によって画定されるつまみ部を外側に跳ね上げることで、このつまみ部全体を把持可能となる。このように外側に跳ね上げられたつまみ部は、より強固に把持することが可能であり、蓋外フラップ６，７を蓋内フラップ８，９から剥離させるための力を入れやすくなる。従って、つまみ部折り曲げ線２０，２１は、当該箱用シートを組み立ててなる箱体の開封をより容易にしている。
【００５０】
つまみ部折り曲げ線２０，２１は、効率よくつまみ部を把持し易くできるよう、蓋外フラップ６，７の側縁及び先端縁に対して約４５°傾斜して形成することが好ましい。
【００５１】
つまみ部折り曲げ線２０，２１の端部と蓋外フラップ６，７の側縁先端の角との距離の下限としては、３ｃｍが好ましく、４ｃｍがより好ましい。一方、つまみ部折り曲げ線２０，２１の端部と蓋外フラップ６，７の側縁先端の角との距離の上限としては、８ｃｍが好ましく、６ｃｍがより好ましい。つまみ部折り曲げ線２０，２１の端部と蓋外フラップ６，７の側縁先端の角との距離が上記下限に満たない場合、つまみ部が小さくなることで強固に把持できないおそれがある。逆に、つまみ部折り曲げ線２０，２１の端部と蓋外フラップ６，７の側縁先端の角との距離が上記上限を超える場合、つまみ部が接着剤Ｇによって蓋内フラップ８，９に接着されてしまい、つまみ部を跳ね上げることが容易でなくなるおそれがある。
【００５２】
（開封折り曲げ線）
開封折り曲げ線２２，２３は、図５に示すように、蓋外フラップ６，７を開封折り曲げ線２２，２３に沿って折り曲げることで、開封開始部１４が形成されている第１蓋内フラップ８のみから蓋外フラップ６，７を剥離することを可能にする。このように、蓋外フラップ６，７を開封折り曲げ線２２，２３に沿って折り曲げることで、第１蓋内フラップ８と第２蓋内フラップ９との間に開口が形成されるため、この開口から指を差し込んで、蓋外フラップ６，７の蓋内フラップ８，９間の開封折り曲げ線２２，２３の近傍領域を把持して、蓋外フラップ６，７を第２蓋内フラップ９から引き剥がすことができる。つまり、開封折り曲げ線２２，２３は、蓋外フラップ６，７の第１蓋内フラップ８からの剥離と、第２蓋内フラップ９からの剥離とを段階的に分けて行うことを可能にする。
【００５３】
開封折り曲げ線２２，２３は、それに沿ってシートを谷折りしやすくしたものであればよいが、シートをミシン目状に一列に並んだ複数の切断線と、この複数の切断線の間を接続するようシートの裏面に筋押しして形成される罫線とを有するいわゆるリード罫線であることが好ましい。このように、開封折り曲げ線２２，２３をリード罫線とすることによって、蓋外フラップ６，７の第１蓋内フラップ８及び第２蓋内フラップ９からの段階的な剥離がより確実となる。
【００５４】
開封折り曲げ線２２，２３の蓋外フラップ６，７の側縁側の端部と長辺側面パネル１，２の上縁との距離の下限としては、当該箱用シートを形成するシートの平均厚さの１倍が好ましく２倍がより好ましい。一方、開封折り曲げ線２２，２３の蓋外フラップ６，７の側縁側の端部と長辺側面パネル１，２の上縁との距離の上限としては、３０ｍｍ好ましく、２０ｍｍがより好ましい。開封折り曲げ線２２，２３の蓋外フラップ６，７の側縁側の端部と長辺側面パネル１，２の上縁との距離が上記下限に満たない場合、当該箱用シートの組み立て時に開封折り曲げ線２２，２３が折れ曲がって組み立てを阻害するおそれがある。逆に、開封折り曲げ線２２，２３の蓋外フラップ６，７の側縁側の端部と長辺側面パネル１，２の上縁との距離が上記上限を超える場合、蓋外フラップ６，７を第１蓋内フラップ８から引き剥がす際に最も力が伝わりやすい蓋外フラップ６，７を把持する角部から開封折り曲げ線２２，２３への垂線から実際に接着剤Ｇによって接着されている位置が遠くなることで、蓋外フラップ６，７に引き剥がしが容易でなくなるおそれがある。
【００５５】
開封折り曲げ線２２，２３の蓋外フラップ６，７の先端縁側の端部は、組み立て状態で第２蓋内フラップ９の先端縁と重なる位置の近傍とすることが好ましい。開封折り曲げ線２２，２３の蓋外フラップ６，７の先端縁側の端部と第２蓋内フラップ９の先端縁と重なる位置との距離の上限としては、５ｃｍが好ましく、２ｃｍがより好ましい。開封折り曲げ線２２，２３の蓋外フラップ６，７の先端縁側の端部を第２蓋内フラップ９の先端縁と重なる位置よりも上記上限を超えて開封開始部１４側とすると、第１蓋内フラップ８と第２蓋内フラップ９との間に形成される開口が小さくなり、蓋外フラップ６，７の第２蓋内フラップ９からの剥離を容易化できないおそれがある。逆に、開封折り曲げ線２２，２３の蓋外フラップ６，７の先端縁側の端部を第２蓋内フラップ９の先端縁と重なる位置よりも上記上限を超えて開封開始部１４と反対側とすると、蓋外フラップ６，７を第１蓋内フラップ８から引き剥がす際に最も力が伝わりやすい蓋外フラップ６，７を把持する角部から開封折り曲げ線２２，２３への垂線から実際に接着剤Ｇによって接着されている位置が遠くなることで、蓋外フラップ６，７に引き剥がしが容易でなくなるおそれがある。
【００５６】
以上のように、当該箱用シートを組み立ててなる箱体は、開封開始部１４を押し込んで形成される凹部に指を入れて蓋外フラップ６，７の側縁先端角部を把持することができるので、比較的容易に開函することができる。また、開封開始部１４は、蓋外フラップ６，７によって覆われているため、輸送時等に意図せず押し込まれにくく、開口の形成が防止されるので、収容する物品の保護に優れる。
【００５７】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００５８】
当該箱用シートにおいて、開封開始部の第３開始部折り曲げ線を省略しても、シートを強く押せば開封開始部を押し込むことが可能であるため、第３開始部折り曲げ線は必須の構成ではない。
【００５９】
当該箱用シートにおいて、つまみ部折り曲げ線及び開封折り曲げ線は省略してもよい。
【００６０】
当該箱用シートにおいて、底部の構成は、例えばワンタッチタイプ、アメリカンロックタイプ等の他の構成であってもよい。
【産業上の利用可能性】
【００６１】
当該箱用シートは、粘着テープを用いずに封函されるＡ式段ボール箱に特に好適に利用することができる。
【符号の説明】
【００６２】
１  第１長辺側面パネル
２  第２長辺側面パネル
３  第１短辺側面パネル
４  第２短辺側面パネル
５  糊しろ
６  第１蓋外フラップ
７  第２蓋外フラップ
８  第１蓋内フラップ
９  第２蓋内フラップ
１０  第１底外フラップ
１１  第２底外フラップ
１２  第１底内フラップ
１３  第２底内フラップ
１４  開封開始部
１５  第１開始部切断線
１６  第２開始部切断線
１７  第１開始部折り曲げ線
１８  第２開始部折り曲げ線
１９  第３開始部折り曲げ線
２０，２１  つまみ部折り曲げ線
２２，２３  開封折り曲げ線
Ｇ  接着剤
【図１】
2018127242.tif 000003
【図２】
2018127242.tif 000004
【図３】
2018127242.tif 000005
【図４】
2018127242.tif 000006
【図５】
2018127242.tif 000007